【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
磁界印加手段により磁界が印加された領域内を移動する粒子の挙動解析を行う粒子挙動解析装置であって、
基本磁界印加位置での磁界データを基本印加磁界の座標系から前記磁界印加手段の変位後の座標系に写像することで、前記磁界印加手段の変位後の座標系における磁界データを計算する磁界計算手段と、
前記磁界計算手段により計算した写像後の磁界データを基に前記粒子に働く磁気力を計算する磁気力計算手段と、
前記磁気力計算手段により計算した磁気力と該磁気力以外の前記粒子に働く力とに基づいて、運動方程式を解くことにより、前記粒子の挙動である速度と変位を解析する粒子挙動解析手段と、
を備えることを特徴とする粒子挙動解析装置。
【請求項２】
磁界印加手段により磁界が印加された領域内を移動する粒子の挙動解析を行う粒子挙動解析装置であって、
基本印加磁界の座標系に粒子位置を写像し、前記粒子位置での磁界データを前記磁界印加手段の変位後の座標系に逆写像することで、前記磁界印加手段の変位後の座標系における磁界データを計算する磁界計算手段と、
前記磁界計算手段により計算した逆写像後の磁界データを基に前記粒子に働く磁気力を計算する磁気力計算手段と、
前記磁気力計算手段により計算した磁気力と該磁気力以外の前記粒子に働く力とに基づいて、運動方程式を解くことにより、前記粒子の挙動である速度と変位を解析する粒子挙動解析手段と、
を備えることを特徴とする粒子挙動解析装置。
【請求項３】
前記磁界印加手段の変位後の座標系を求める座標系設定手段を更に備えることを特徴とする請求項１又は２記載の粒子挙動解析装置。
【請求項４】
前記磁気力計算手段は、前記磁界データの大きさ或いは粒子数に応じて計算時間の短い計算手法を選択することを特徴とする請求項１又は２記載の粒子挙動解析装置。
【請求項５】
前記磁界計算手段により計算した磁界データと、前記挙動解析手段により解析した粒子の挙動とを表示する表示手段を更に備えることを特徴とする請求項１又は２記載の粒子挙動解析装置。
【請求項６】
前記粒子挙動解析装置で挙動解析する粒子は、担持体に形成した潜像を現像剤で可視化して画像形成を行う画像形成装置の現像剤補給手段における現像剤または前記画像形成装置の現像剤清掃手段における現像剤であることを特徴とする請求項１乃至５の何れかに記載の粒子挙動解析装置。
【請求項７】
前記磁界印加手段の変位は、回転、移動、回転と移動を含む群から選択されることを特徴とする請求項１乃至３の何れかに記載の粒子挙動解析装置。
【請求項８】
磁界印加手段により磁界が印加された領域内を移動する粒子の挙動解析を行う粒子挙動解析装置の制御方法であって、
基本磁界印加位置での磁界データを基本印加磁界の座標系から前記磁界印加手段の変位後の座標系に写像することで、前記磁界印加手段の変位後の座標系における磁界データを計算する磁界計算工程と、
前記磁界計算工程により計算した写像後の磁界データを基に前記粒子に働く磁気力を計算する磁気力計算工程と、
前記磁気力計算工程により計算した磁気力と該磁気力以外の前記粒子に働く力とに基づいて、運動方程式を解くことにより、前記粒子の挙動である速度と変位を解析する粒子挙動解析工程と、
を備えることを特徴とする制御方法。
【請求項９】
磁界印加手段により磁界が印加された領域内を移動する粒子の挙動解析を行う粒子挙動解析装置の制御方法であって、
基本印加磁界の座標系に粒子位置を写像し、前記粒子位置での磁界データを前記磁界印加手段の変位後の座標系に逆写像することで、前記磁界印加手段の変位後の座標系における磁界データを計算する磁界計算工程と、
前記磁界計算工程により計算した逆写像後の磁界データを基に前記粒子に働く磁気力を計算する磁気力計算工程と、
前記磁気力計算工程により計算した磁気力と該磁気力以外の前記粒子に働く力とに基づいて、運動方程式を解くことにより、前記粒子の挙動である速度と変位を解析する粒子挙動解析工程と、
を備えることを特徴とする制御方法。
【請求項１０】
磁界印加手段により磁界が印加された領域内を移動する粒子の挙動解析を行う粒子挙動解析装置の制御方法をコンピュータに実行させるコンピュータ読み取り可能なプログラムであって、
基本磁界印加位置での磁界データを基本印加磁界の座標系から前記磁界印加手段の変位後の座標系に写像することで、前記磁界印加手段の変位後の座標系における磁界データを計算する磁界計算手順と、
前記磁界計算手順により計算した写像後の磁界データを基に前記粒子に働く磁気力を計算する磁気力計算手順と、
前記磁気力計算手順により計算した磁気力と該磁気力以外の前記粒子に働く力とに基づいて、運動方程式を解くことにより、前記粒子の挙動である速度と変位を解析する粒子挙動解析手順と、
をコンピュータに実行させるためのプログラム。
【請求項１１】
磁界印加手段により磁界が印加された領域内を移動する粒子の挙動解析を行う粒子挙動解析装置の制御方法をコンピュータに実行させるコンピュータ読み取り可能なプログラムであって、
基本印加磁界の座標系に粒子位置を写像し、前記粒子位置での磁界データを前記磁界印加手段の変位後の座標系に逆写像することで、前記磁界印加手段の変位後の座標系における磁界データを計算する磁界計算手順と、
前記磁界計算手順により計算した逆写像後の磁界データを基に前記粒子に働く磁気力を計算する磁気力計算手順と、
前記磁気力計算手順により計算した磁気力と該磁気力以外の前記粒子に働く力とに基づいて、運動方程式を解くことにより、前記粒子の挙動である速度と変位を解析する粒子挙動解析手順と、
をコンピュータに実行させるためのプログラム。
【手続補正２】
【補正対象書類名】明細書
【補正対象項目名】００１５
【補正方法】変更
【補正の内容】
【００１５】
上述の目的を達成するために、本発明の粒子挙動解析装置は、磁界印加手段により磁界が印加された領域内を移動する粒子の挙動解析を行う粒子挙動解析装置であって、基本磁界印加位置での磁界データを基本印加磁界の座標系から前記磁界印加手段の変位後の座標系に写像することで、前記磁界印加手段の変位後の座標系における磁界データを計算する磁界計算手段と、前記磁界計算手段により計算した写像後の磁界データを基に前記粒子に働く磁気力を計算する磁気力計算手段と、前記磁気力計算手段により計算した磁気力と該磁気力以外の前記粒子に働く力とに基づいて、運動方程式を解くことにより、前記粒子の挙動である速度と変位を解析する粒子挙動解析手段と、を備えることを特徴とする。
【手続補正３】
【補正対象書類名】明細書
【補正対象項目名】００１６
【補正方法】変更
【補正の内容】
【００１６】
また、本発明の粒子挙動解析装置は、磁界印加手段により磁界が印加された領域内を移動する粒子の挙動解析を行う粒子挙動解析装置であって、基本印加磁界の座標系に粒子位置を写像し、前記粒子位置での磁界データを前記磁界印加手段の変位後の座標系に逆写像することで、前記磁界印加手段の変位後の座標系における磁界データを計算する磁界計算手段と、前記磁界計算手段により計算した逆写像後の磁界データを基に前記粒子に働く磁気力を計算する磁気力計算手段と、前記磁気力計算手段により計算した磁気力と該磁気力以外の前記粒子に働く力とに基づいて、運動方程式を解くことにより、前記粒子の挙動である速度と変位を解析する粒子挙動解析手段と、を備えることを特徴とする。
【手続補正４】
【補正対象書類名】明細書
【補正対象項目名】０１１８
【補正方法】変更
【補正の内容】
【０１１８】
１１２ａ  磁性粒子に働く磁気力の計算部
１１２ｂ  磁性粒子に働く磁気力の計算部
１１５  粒子挙動表示部（表示手段）
１１６  磁界印加部の移動後の座標系の設定部（座標系設定手段）
１１７  磁界データの写像の計算部（磁界計算手段）
１１８  粒子の磁化の計算部
１１９  印加磁界による磁気力の計算部（磁気力計算手段）
１２０  粒子による磁気力の計算部
７１１  粒子の磁界データ計算部（磁界計算手段）
１２１１  感光体ドラム（担持体）
１２１４  クリーニング装置（現像剤清掃手段）
１２１７  マグネットローラ（磁界印加手段、現像剤補給手段）
１３１１  磁気力計算方法の選択部